(57)【特許請求の範囲】
【請求項１】
上流端が給水源からの給水配管に接続される水入口となった冷水路と、上流端が温水供給器からの温水配管に接続される湯入口となった温水路と、上記冷水路と上記温水路の合流点から延設されその下流端の湯出口が補助熱源機の入水配管に接続される混合水路と、上記合流点において冷水路からの冷水と温水路からの温水とのミキシングを行う混合器と、冷水路を流れる冷水の冷水温度を検出する冷水温センサと、温水路を流れる温水の温水温度を検出する温水温センサと、本湯水混合ユニットを動作制御するコントローラとを備える湯水混合ユニットにおいて、
上記コントローラは、
上記冷水温センサで検出する冷水温度から上記温水温センサで検出する温水温度を減算した温度差を検出する温度差検出手段と、
上記温度差検出手段での温度差が正の値であってこの温度差が一定温度以上を一定時間継続して検出した場合に上記給水配管と上記温水配管とが逆配管接続であると判定し報知を行う逆接続判別手段と、
上記逆接続判別手段が逆配管接続と判定した場合に上記混合器において温水側を開弁方向に冷水側を閉弁方向に動作させる混合器制御手段とを備え、
上記冷水路と上記混合水路との間を結ぶバイパス通路を設けると共にこのバイパス通路にバイパス開閉弁を設け、
上記コントローラは、上記逆接続判別手段が逆配管接続と判定した場合に、上記バイパス開閉弁を閉弁させるバイパス開閉弁制御手段を備えたことを特徴とする湯水混合ユニット。
【発明の詳細な説明】
【０００１】
【発明の属する技術分野】
本発明は、例えば、自然エネルギーを利用した太陽熱温水器等や廃熱を利用した温水器等で構成される温水供給器を補助熱源機としての給湯器に接続するための湯水混合ユニットにあって、この湯水混合ユニットに対する温水供給器の温水配管と給水源の給水配管との逆配管接続を検出し、この逆配管接続時の安全動作に関する技術である。
【０００２】
【従来の技術】
従来より、例えば、図５に示すように、温水供給器となる太陽熱温水器Ｂを、湯水混合ユニットＣによって補助熱源機の給湯器Ａに接続し、太陽熱温水器Ｂからのソーラ温水を給湯利用する給湯装置が知られている。
【０００３】
上記湯水混合ユニットＣは、ソーラ温水路５７０、冷水路５８０および混合水路５９０が管継手５９１，５９２，５９３などで各々太陽熱温水器Ｂ、給水源ａおよび給湯器Ａと配管接続されている。この配管接続作業は、上記給湯装置の設置時に作業員の手によって行なわれ、しかも各配管５７０，５８０，５９０の接続口での口径も同じであるため、ソーラ温水路５７０と冷水路５８０への配管接続を逆にしてしまうことがあった。このような施工上のミスで逆配管接続されると、例えば、ソーラ温水と水道水とを混合調節する混合器５６１にて水道水の割合を多くしようとして冷水路５８０側の開度を大きくすると、実際は冷水路５８０にソーラ温水が供給されてくるため、給湯器Ａへ送る混合水の温度を下げることができず、給湯温度の制御が困難となって給湯器Ａからは予想外の高温出湯がなされるおそれがある。
【０００４】
そこで、装置設置時の逆配管接続を検出すると共にそのときの高温出湯を防止する手段として、例えば、特開平１０−３２５５５７号公報に開示のものがある。これによると、図５に示す冷水温センサ５６４での検出が５０℃以上を１０秒間継続するなど冷水温センサ５６４が所定温度以上を一定時間以上継続して検出した場合にコントローラ５６０は、逆配管接続と判定すると共にこのときの安全動作として混合器５６１をソーラ温水路５７０側全開（逆配管接続のため実際には水側全開）とし給湯器Ａに対して水のみを供給するように構成したり、さらにはソーラ温水路５７０の電磁弁５６２をも閉じて湯水混合ユニットＣから給湯器Ａに対する通水を完全に遮断する構成を採用する。
【０００５】
【発明が解決しようとする課題】
しかしながら、この従来例では、逆配管接続検出のために上記冷水温センサ５６４の検出温度だけを利用するが、この冷水温センサ５６４での閾値温度は、太陽熱温水器Ｂ等の器具の設置時期や設置場所等（例えば、太陽熱温水器Ｂを設置する季節、設置するときの天候、設置する場所の日当り具合などの種々の条件）に応じてその都度決める必要があって、結局のところフレキシブルな対応ができず、実用的ではなかった。
【０００６】
例えば、冬場は一般に太陽熱温水器Ｂのソーラ温水温度が４０〜５０℃程度までしか上がらない。そのため、冬場に太陽熱温水器Ｂが設置される場合を想定すると、上記冷水温センサ５６４での検出温度を４０℃以下にしないと逆配管接続か否かの判別が困難となる。一方、夏場は水道水の水温が３０〜４０℃程度になることもあり、特に照り返しの強い場所に各器具を設置すると、給水源ａからの水道水温が稀に５０℃を上回るような場合も起こり得る。そのため、夏場に太陽熱温水器Ｂが設置される場合を想定すると、上記冷水温センサ５６４での検出温度を５０℃以上にしないと逆配管接続か否かの判別が困難となる。従って、太陽熱温水器Ｂの設置時期が冬場あるいは夏場などの季節を問わず１年間を通じて上記逆配管接続検出が可能な上記冷水温センサ５６４の閾値温度を一律に決定することが困難である。
【０００７】
これと同じようなことが太陽熱温水器Ｂを設置したときの天候や設置場所の日当り具合などによっても起こり得る。さらには、これら季節、天候、設置場所等の種々の要因が複雑に絡み合って、結局、冷水温センサ５６４の閾値温度を何℃にするかは決め難く、この閾値温度を一律に設定してしまうと逆配管接続の検出精度そのものの信頼性に欠けることにもなる。
【０００８】
また、従来例のように冷水温センサ５６４の検出温度だけに基づくと、上述の器具設置環境が安定した頃になって始めて逆配管接続と判定されることにもなり、器具設置後の早い時期に逆配管接続を発見することが困難な場合がある。すると、器具を設置してから逆配管接続に気付くまでの長い間は、湯水混合ユニットＣにおけるソーラ温水と水道水との関係が実際には逆転しミキシング制御の困難な状態が長く続くため、その間は必ずしも給湯器Ａから安定した給湯ができなくなる。
【０００９】
本発明は、上記事情に鑑みて、湯水混合ユニットにあって、器具設置の時期や場所等を問わずに施工上のミスである逆配管接続を正確に且つ器具設置後の早期に検出できるものを実現することを課題とする。
【００１０】
【課題を解決するための手段】
本発明の湯水混合ユニットは、
上流端が給水源からの給水配管に接続される水入口となった冷水路と、上流端が温水供給器からの温水配管に接続される湯入口となった温水路と、上記冷水路と上記温水路の合流点から延設されその下流端の湯出口が補助熱源機の入水配管に接続される混合水路と、上記合流点において冷水路からの冷水と温水路からの温水とのミキシングを行う混合器と、冷水路を流れる冷水の冷水温度を検出する冷水温センサと、温水路を流れる温水の温水温度を検出する温水温センサと、本湯水混合ユニットを動作制御するコントローラとを備える湯水混合ユニットにおいて、
上記コントローラは、
上記冷水温センサで検出する冷水温度から上記温水温センサで検出する温水温度を減算した温度差を検出する温度差検出手段と、
上記温度差検出手段での温度差が正の値であってこの温度差が一定温度以上を一定時間継続して検出した場合に上記給水配管と上記温水配管とが逆配管接続であると判定し報知を行う逆接続判別手段と、
上記逆接続判別手段が逆配管接続と判定した場合に上記混合器において温水側を開弁方向に冷水側を閉弁方向に動作させる混合器制御手段とを備え、
上記冷水路と上記混合水路との間を結ぶバイパス通路を設けると共にこのバイパス通路にバイパス開閉弁を設け、
上記コントローラは、上記逆接続判別手段が逆配管接続と判定した場合に、上記バイパス開閉弁を閉弁させるバイパス開閉弁制御手段を備えたことを特徴とする。
【００１１】
上記逆接続判別手段による逆配管接続と判定するには、温度差検出手段で検出する温度差が正の値であって一定温度以上であること、および、この温度差が一定時間継続することを条件とする。
【００１２】
すなわち、上記温度差が正の値であって一定温度以上であることを条件とするのは、器具設置の時期や場所等を問わず、一般に温水供給器からの温水の温度の方が給水源からの冷水の温度よりも高い。そのため、上記温度差検出手段で検出される温度差が負の値であれば正常に配管接続されていると言えるが、逆に正の値であれば逆配管接続されていると言えるからである。従って、このような温度差が一定温度以上であれば、器具設置の時期や場所等を問わず給水配管と温水配管との逆配管接続の可能性が高いと推定される。
【００１３】
そして、上記温度差が一定時間継続することを条件とするのは、配管回路の設置環境によっては配管回路内に滞留する温水と冷水の温度がほぼ等しくなる場合もあり得る。そのため、一定時間の通水の間に配管回路内の滞留水が完全に抜けきって温水供給器での温水と給水源での冷水との温度比較が確実に行われるようにするためである。従って、上記温度差が一定時間継続して始めて逆配管接続状態であると判定することで、配管回路内に滞留する温水や冷水の温度よる誤判定を確実に排除できる。
【００１４】
このように、上記逆接続判別手段によれば、器具設置の時期や場所等を問わずに本湯水混合ユニットに対する給水配管と温水配管との逆接続を正確に且つ器具設置後の早期に検出することができる。
また、上記逆接続判別手段は、逆配管接続であると判定するとその旨の報知を行うので、使用者はこの報知によって逆配管接続状態であることを認識できる。
【００１５】
また、上記逆接続判別手段が逆配管接続と判定した場合に上記混合器において温水側を開弁方向に冷水側を閉弁方向に動作させる混合器制御手段を備える。
【００１６】
これにより、上記逆配管接続が検出されると、上記混合器制御手段によって混合器における温水側を開弁方向に冷水側を閉弁方向に動作させるが、これは逆配管のため実際は冷水側が開で温水側が閉となる。よって、補助熱源機に対しては冷水しか供給されない。なお、混合器の冷水側を閉弁方向に動作させたとき、この冷水側が完全に閉止されていない場合は、補助熱源機には冷水に微量の温水が混じった混合水が供給される。これによって、逆配管接続状態であっても補助熱源機からの高温出湯を防止でき、しかも補助熱源機の機能によって冷水を加熱し、リモコン設定温度の湯にして使うことができる。
【００１９】
また、上記湯水混合ユニットにおいて、上記冷水路と上記混合水路との間を結ぶバイパス通路を設けると共にこのバイパス通路にバイパス開閉弁を設け、上記コントローラは、上記逆接続判別手段が逆配管接続と判定した場合に、上記バイパス開閉弁を閉弁させるバイパス開閉弁制御手段を備える。
これにより、逆配管接続の場合には上記バイパス通路にも温水が送られてくるので、このバイパス通路に設けたバイパス開閉弁を閉弁させるとバイパス通路内の温水が混合器を迂回して混合水路に流れ込むことを確実に防止できる。
【００２２】
【発明の効果】
以上のように、本発明の湯水混合ユニットによれば、上記逆接続判別手段において器具設置の時期や場所等を問わずに本湯水混合ユニットに対する給水配管と温水配管との逆配管接続を正確に、かつ器具設置後の早期に検出することができる。また、上記逆接続判別手段による逆配管接続の旨の報知によって使用者は逆配管接続状態を認識でき、これによって、給水配管と温水配管とを本来の正常な接続口に接続し直す必要があることが促され、逆配管接続状態がそのまま放置されてしまうことを防止できる。
【００２３】
また、逆配管接続が検出されると上記混合器制御手段によって補助熱源機に対して冷水しか供給されないようにするため、逆配管接続状態であっても補助熱源機からの高温出湯を防止でき、しかも、補助熱源機の機能によって冷水を加熱し、リモコン設定温度の湯にして使うことができ、使い勝手もよい。
【００２５】
また、バイパス開閉弁制御手段によって、逆配管接続状態のときでも補助熱源機に対して温水が供給されることを確実に防止できる。
【００２７】
【発明の実施の形態】
以下の実施の形態では、温水供給器として太陽熱温水器を、本発明の湯水混合ユニットによって補助熱源機としての給湯器に接続したソーラ給湯システムを例に挙げて説明する。
【００２８】
＜参考例＞
この参考例による湯水混合ユニットは、通水回路内に常閉式の開閉弁（温水開閉弁３１）を備えたものである。図１は、ソーラ給湯システムの全体構成図を示す。まず、図１を参照して、このソーラ給湯システムの各部の構成から説明する。
【００２９】
（太陽熱温水器）
上記太陽熱温水器５は、太陽熱を吸収する集熱器５０と貯湯タンク５１内とを循環するように形成された蓄熱循環路５２を具備しており、この蓄熱循環路５２にはホッパ５３と循環ポンプ５４とが配設されている。また、貯湯タンク５１の底部には、上水道等の給水源の給水路６０から延設されて水道水等の冷水を供給するソーラ用給水路５５と、水抜栓５７を具備する水抜路５８とが接続されていると共に、貯湯タンク５１の頂部には、この貯湯タンク５１のソーラ温水を取出すソーラ温水配管５６が引き出されている。そして、上記循環ポンプ５４を駆動させ畜熱循環路５２内の液状媒体を循環させると、上記集熱器５０で加熱された液状媒体が畜熱循環路５２を通じて貯湯タンク５１内へ導かれて貯湯タンク５１内の水を熱交換加熱してソーラ温水とし、この貯湯タンク５１内のソーラ温水がソーラ温水配管５６を経て上記湯水混合ユニット１側に送り込まれる。
【００３０】
（給湯器）
上記給湯器７は、図示しないバーナで加熱される熱交換器７３が内蔵された給湯器本体７０と、各種操作部等（運転スイッチ、浴槽の湯張りスイッチ・追焚スイッチ、湯温設定器、燃焼表示部等）が配置されたリモコン７１と、このリモコン７１と配線ケーブル７８で接続されて浴槽８１や出湯蛇口８５での給湯を制御する給湯コントローラ７２とを備える。上記熱交換器７３には、入水配管７６と出湯配管８４が接続されると共に浴槽８１との間で湯張り及び追焚きに使用される往き管８２と戻り管８３が接続されている。出湯配管８４と往き管８２との間に落とし込み開閉弁７５を有した風呂落とし込み路７４が設けられ、この風呂落とし込み路７４と往き管８２との接続点に三方弁８０が設けられている。なお、入水配管７６、出湯配管８４、往き管８２および戻り管８３には、温度センサが設けられていてもよく、また、入水配管７６および往き管８２には、ポンプ、水量センサが設けられていてもよい。
【００３１】
（湯水混合ユニット）
上記湯水混合ユニット１は、温水供給器として上記太陽熱温水器５を補助熱源機の上記給湯器７に接続するための装置である。そして、この湯水混合ユニット１は、ソーラ温水路１４、冷水路１５およびこれらの合流点から延設される混合水路２９を備える通水回路２と、上記混合水路２９に流入されるソーラ温水と冷水の混合割合を決定する混合器３と、この湯水混合ユニット１を制御するためのユニットコントローラ１１と、この湯水混合ユニット１に電力供給を行う主電源１００とを備える。
【００３２】
上記ソーラ温水路１４は、太陽熱温水器５からのソーラ温水が通される管路であって、その上流端の湯入口１６に上記太陽熱温水器５のソーラ温水配管５６が接続され、その下流端で上記混合水路２９に接続されている。このソーラ温水路１４には、上流側から順に、ソーラ温水の除塵機能を兼ねたフィルタ付き水抜き栓２１、貯湯タンク５１の内圧低下時に外気を吸引してこの内圧低下を制御する等のためのバキュームブレーカ１２、温水開閉弁３１、逆止弁１３、および、ソーラ温水路１４を流れるソーラ温水の温度を検出するソーラ温水温センサ１９が配設されている。
【００３３】
なお、上記温水開閉弁３１は、その弁の開閉によってソーラ温水路１４においてソーラ温水を供給、供給停止させるものである。この温水開閉弁３１は、例えばソレノイドによって駆動される電磁弁が採用され、ソレノイドへの電圧供給が停止されると閉弁する常閉式のものである。そして、この温水開閉弁３１は、混合水路２９で通水が検知されない限り閉弁しており、通水が検知されると開弁するように、ユニットコントローラ１１の後述する温水開閉弁制御部１１５によって制御されている。
【００３４】
上記冷水路１５は、上水道等の給水源からの水道水等の冷水が通される管路であって、その上流端の水入口１７に給水路６０の一部が減圧弁６１の下流から分岐された給水配管１０が接続され、その下流端で上記混合水路２９に接続されている。この冷水路１５には、上流側から順に、水中の除塵機能を兼ねたフィルタ付き水抜き栓３０、逆止弁２２、および、冷水路１５を流れる冷水の温度を検出する冷水温センサ２３が配設されている。
【００３５】
上記混合水路２９は、ソーラ温水と冷水とを混合した混合水が通される管路であって、上記ソーラ温水路１４および上記冷水路１５が合流されると共にその湯出口１８に上記給湯器７の入水配管７６が接続される。この混合水路２９には、上流側から順に、混合器３、水量センサ３２、混合水温センサ３３、混合水路２９の水圧が過剰上昇したときに開弁し圧力開放を行う機能を兼ねた過圧逃し弁兼水抜き栓３５が配設されている。
【００３６】
上記混合器３は、冷水混合弁２４とソーラ温水混合弁２５とを備え、冷水混合弁２４は、混合水路２９における冷水路１５との接続点に設けられ、ソーラ温水混合弁２５は、混合水路２９におけるソーラ温水路１４との接続点に設けられる。これら冷水混合弁２４およびソーラ温水混合弁２５は、上記ユニットコントローラ１１からの制御信号で動作制御されてソーラ温水と冷水との混合割合を決定する。
【００３７】
上記ユニットコントローラ１１は、湯水混合ユニット１の運転制御を行う他に、上記給湯器７の給湯コントローラ７２と通信線（信号線）７７で接続されて通信機能を保持する。すなわち、このユニットコントローラ１１は、通信部１１６を有し、この通信部１１６によって給湯器７の運転制御を行う給湯コントローラ７２との間で情報の送受信を行うための通信機能を保持させている。例えば、給湯器７の給湯コントローラ７２からは、リモコン７１での給湯設定温度情報、リモコン７１で入力される給湯使用や自動湯張り等の運転モード情報、給湯器７の各センサ類から入った情報、給湯器７の燃焼制御情報等の各種情報が上記通信部１１６に送信される一方、ユニットコントローラ１１からは、湯水混合ユニット１の各センサ類から入った情報、混合水の混合制御情報、給湯器７に対する燃焼不要要求等の各種情報が給湯コントローラ７２に送信される。このようにして、これらの種々の情報がユニットコントローラ１１と給湯コントローラ７２との間で共有される。
【００３８】
また、このユニットコントローラ１１には、混合温度演算部１１１、温度差検出部１１２、逆接続判別部１１３、混合器制御部１１４、温水開閉弁制御部１１５等を有しており、これら各部の機能については次の動作説明で詳細に説明する。
【００３９】
（湯水混合ユニットの動作）
ところで、上記ソーラ温水路１４の上流端の湯入口１６に上記太陽熱温水器５のソーラ温水配管５６が接続される一方、上記冷水路１５の上流端の水入口１７に給水源からの給水配管１０が接続されるが、施工上のミスでこれらが逆配管接続される場合がある。このような逆配管接続を検出する動作について以下に説明する。
【００４０】
図２は、ユニットコントローラ１１における逆配管接続検出ルーチンを示したフローチャートである。以下、図２のフローチャートにそって湯水混合ユニット１の動作を説明する。
【００４１】
太陽熱温水器５等の器具設置後に本湯水混合ユニット１が電源ＯＮされて水量センサ３２が混合水路２９内での通水を検知すると（Ｓ１０１）、温水開閉弁３１を開弁させる。すると、ユニットコントローラ１１において以下の逆配管接続検出ルーチンを実行する。
【００４２】
まず、温度差検出部１１２が、上記冷水温センサ２３で検出する冷水温度から上記ソーラ温水温センサ１９で検出するソーラ温水温度を減算した温度差を検出する。すると、ステップＳ１０２において逆接続判別部１１３は、この温度差が正の値であって一定温度以上を一定時間継続したか否かを判断する。
【００４３】
本例の場合は、上記温度差が２０℃以上を５秒間継続すれば逆接続判別部１１３において逆配管接続と判定する。すなわち、器具設置の時期や場所等を問わず、一般にソーラ温水の温度の方が水道水等の冷水の温度よりも高い。そのため、上記温度差検出部１１２で検出される温度差が、負の値であれば正常に配管接続されていると言えるが、逆に正の値であれば逆配管接続されていると言えるからである。従って、上記温度差が一定温度以上であれば、器具設置の時期や場所等を問わず上記逆接続判別部１１３によって給水配管１０とソーラ温水配管５６との逆配管接続の可能性が高いと推定される。
【００４４】
このとき、本例では温度差が２０℃以上とする理由は、一般にはソーラ温水の温度の方が冷水の温度よりも高いが、天候や季節、器具設置場所の日当り加減等によってはソーラ温水と冷水との温度差に大差がないこともあるので、温度差を小さくし過ぎると逆配管接続と誤判定してしまうおそれがある。しかし、温度差が２０℃程度もあればこのような誤判定を回避でき、逆配管接続判別を精度よく行えるからである。
【００４５】
しかも、上記温度差が２０℃未満の場合は逆配管接続とは判定されずに通常どおり混合器３にて湯水のミキシング制御がなされるが、水道水等の冷水の温度は高くなっても一般的には３０〜４０℃程度である。仮にこの冷水の温度が４０℃として、２０℃の温度差を持たせてもソーラ温水の温度は６０℃未満であるので、６０℃以上の混合水が給湯器７を介して出湯されることもなく安全性を確保できるからである。
【００４６】
ただし、上述のとおり上記温度差を小さくするほど給湯器７へ給水する混合水温度が低くなって安全性の確保が十分となる一方、上記温度差が大きいほど逆配管接続の誤判定を回避することができる。従って、上記温度差を何℃にするかは、高温出湯回避のための上記安全性を確保しつつ、逆配管接続の誤判定を回避できる範囲で適宜決定でき、本例では上記温度差を２０℃とするが、概ね５℃〜２５℃の範囲で決定してもよい。
【００４７】
そして、上記温度差が一定時間継続を条件とするのは、配管回路の設置環境によっては配管内に滞留するソーラ温水と冷水の温度がほぼ等しくなる場合もあり得る。そのため、一定時間の通水の間に配管内の滞留水が完全に抜けきって太陽熱温水器５でのソーラ温水と給水源での冷水との温度比較が確実に行われるようにするためである。従って、上記温度差が一定温度以上を一定時間継続して始めて逆配管接続状態であると判定することで、配管内に滞留するソーラ温水や冷水の温度による誤判定を確実に回避できる。
【００４８】
なお、本例では、上記一定時間を５秒間とするが、この時間は、上述のように配管内の滞留水が完全に抜けきって太陽熱温水器５でのソーラ温水と給水源からの冷水との温度比較が確実に行われるよう、配管回路の長さ等から適宜に決定してもよい。
【００４９】
このように、上記逆接続判別部１１３によれば、器具設置の時期や場所等を問わずに本湯水混合ユニットに対する給水配管１０とソーラ温水配管５６との逆配管接続を正確にかつ器具設置の早期に検出することができる。
【００５０】
一方、上記温度差が２０℃未満あるいは２０℃以上であっても５秒間継続しない場合は適正に配管接続されていると判定し、この場合は、ステップＳ１０３において混合器３のミキシング動作を行わせる。このミキシング動作は、上記混合器制御部１１４によって制御される。
【００５１】
すなわち、上記混合器制御部１１４は、給湯器７のリモコン７１での運転モードに応じて、ソーラ温水温センサ１９でのソーラ温水温度と、リモコン７１での給湯設定温度あるいはこの給湯設定温度から数℃加減算した温度とを比較して、上記混合器３に対しミキシング動作制御を行う。例えば、ソーラ温水の温度が給湯設定温度より高ければ、混合水温センサ３３の出力を監視しこの給湯設定温度となるように上記混合器３における冷水混合弁２４とソーラ温水混合弁２５の開度調節が行われ、同時に給湯器７へ燃焼不要信号が出される。
【００５２】
一方、ソーラ温水の温度が給湯設定温度より低ければ、混合温度演算部１１１で求めた目標混合温度ＭＴとなるように上記混合器３における冷水混合弁２４とソーラ温水混合弁２５の開度調節が行われる。すなわち、上記混合温度演算部１１１は、まず、混合水路２９での水量センサ３２の水量信号または給湯コントローラ７２から送信されてきた水量信号から判断される水量Ｑの混合水を、バーナの所定燃焼量で動作する給湯器７によって加熱した場合にこの水量Ｑの混合水を加熱昇温できる上昇温度ΔＴを演算する。例えば、最低燃焼で動作する給湯器７の発熱量を最小発熱量Ｗminとした場合、上昇温度ΔＴ＝最小発熱量Ｗmin／水量Ｑの演算が行われる。そして、リモコン７１で設定された給湯設定温度から上記上昇温度ΔＴだけ低い目標混合温度ＭＴを演算する。すなわち、目標混合温度ＭＴ＝給湯設定温度Ｓ−上昇温度ΔＴの演算が行われる。なお、混合温度演算部１１１は、上昇温度ΔＴをバーナの最低燃焼による最小燃焼量に基づいて求めるようにしたが、例えば、バーナの最低燃焼よりも少し高い目の特定の燃焼量（最小発熱量＋α）に基づいて上昇温度ΔＴを求めるようにしてもよい。
【００５３】
そして、上記ステップＳ１０２において逆配管接続と判定した場合（ＹＥＳの場合）は、安全動作として、ステップＳ１０４において混合器制御部１１４が、混合器３に対してソーラ温水混合弁２５を全開にすると共に冷水混合弁２４を全閉とし、また、温水開閉弁制御部１１５が温水開閉弁３１を開弁維持する。すなわち、温水開閉弁３１と混合器３のソーラ温水混合弁２５のみを開弁させることによって逆配管接続状態のため実際には冷水がソーラ温水路１４を通じて流れ込む。これによって、給湯器７に対しては冷水しか供給されないから、逆配管接続状態であっても給湯器７からの予想外の高温出湯を防止できる。さらに、この冷水は、給湯器７の機能によって加熱されてリモコン７１での給湯設定温度の湯にすることができるので、逆配管接続状態のときでも使用者の使い勝手を悪くすることがない。
【００５４】
また、上記安全動作と同時に、ステップＳ１０５において、図示しない報知手段が、本湯水混合ユニット１の主電源１００がＯＦＦされるまで逆配管接続の旨を報知し続ける。これによって、給湯使用を終えた後でも本湯水混合ユニット１の主電源１００がＯＦＦされない限り、逆配管接続状態を認識できる。従って、給水配管１０とソーラ温水配管５６とを本来の正常な接続口（ソーラ温水配管５６が湯入口１６、給水配管１０が水入口１７）に接続し直す必要があることを促され、逆配管接続状態がそのまま放置されてしまうことを防止できる。なお、この異常報知は、例えば給湯器７のリモコン７１に表示等させるようにしてもよく、また、このリモコン７１がＯＦＦ時でも表示等させるようにしてもよい。
【００５５】
引き続き、上記逆接続判別部１１３は、ステップＳ１０６において、さらに上記ソーラ温水温センサ１９の検出温が一定温度以上を一定時間継続したか否かを判断する。本例では、上記ソーラ温水温センサ１９が５０℃以上を０．５秒間継続したか否かを判断する。上記ソーラ温水温センサ１９が５０℃以上を検出する場合は、極稀に水道水等の冷水が異常高温にあるような場合であるが、この場合、ステップＳ１０７において上記混合器制御部１１４は、ソーラ温水混合弁２５を全閉とさせると共に、ステップＳ１０８において上記通信部１１６は給湯器７の給湯コントローラ７２に燃焼不要信号を送出する。よって、ソーラ温水混合弁２５の全閉によって給湯器７への給水が完全に遮断されるとともに、燃焼不要信号によって給湯器７での燃焼が阻止される。従って、このような給水源での冷水の異常高温が起こった場合は、給湯器７への給水遮断および給湯器７での燃焼阻止という対策を講じることで、万一の高温出湯を確実に防止している。
【００５６】
以上のように、この参考例によると、器具設置の時期や場所等を問わずに本湯水混合ユニット１に対する給水配管１０とソーラ温水配管５６との逆配管接続を正確かつ器具設置後の早期に検出することができ、加えて逆配管接続の場合の安全性も確保される。
【００５７】
＜実施の形態＞
上記参考例のものは、ソーラ温水路１４に温水開閉弁３１を設けたものであるが、実施の形態による湯水混合ユニット１は、図３に示すように、冷水路１５と混合水路２９との間を直結させるバイパス通路２８を設けると共にこのバイパス通路２８に常開式開閉弁としてのバイパス開閉弁３３１を設けたものである。また、上記ユニットコントローラ１１のバイパス開閉弁制御部１１５’は、上記逆接続判別部１１３が逆配管接続と判定した場合にバイパス開閉弁３３１を閉弁させるようにする。このバイパス開閉弁３３１は、例えばソレノイドによって駆動される電磁弁が採用され、ソレノイドへの電圧供給が停止されると開弁する常開式のものであって、バイパス開閉弁制御部１１５’によって開閉制御されている。その他の構成は、上記参考例と同様である。
【００５８】
そして、この実施の形態の動作は、図４のフローチャートに示すように、本湯水混合ユニット１が電源ＯＮされて水量センサ３２が通水を検知すると（Ｓ１０１）、バイパス開閉弁３３１が閉弁され、ユニットコントローラ１１において逆配管接続検出ルーチン（Ｓ１０２）を実行する。そして、ステップＳ１０２において逆接続判別部１１３で給水配管１０とソーラ温水配管５６とが逆配管接続と判定されると、ステップＳ２０４において混合器制御部１１４が、混合器３におけるソーラ温水混合弁２５を全開にすると共に冷水混合弁２４を全閉とし、また、バイパス開閉弁制御部１１５’がバイパス開閉弁３３１を閉弁維持する。
【００５９】
このように逆配管接続の場合には上記バイパス通路２８にもソーラ温水が送られてくるので、バイパス開閉弁３３１を閉弁させるとこのソーラ温水が混合器３を迂回して混合水路２９に流れ込むことが防止される。従って、上記参考例と同様に、逆配管接続状態のときは給湯器７に対してソーラ温水が供給されることを確実に防止でき、全開としたソーラ混合弁２５を通じて水道水等の冷水が給湯器７に給水される。その他の動作は、上記参考例と同様である。
【００６０】
従って、この実施の形態のものでも、上記参考例と同じく、器具設置の時期や場所等を問わずに本湯水混合ユニット１に対する給水配管１０とソーラ温水配管５６との逆配管接続を正確かつ器具設置後の早期に検出することができ、逆配管接続の場合の安全性も確保される。
【００６１】
なお、本発明は、上記実施の形態のみには限定されない。例えば、上記動作説明では電源ＯＮした後に通水を検知する度に逆配管接続の検出ルーチン（ステップＳ１０２）が実行されるが、器具設置直後の１回〜数回の通水検知時だけこの逆配管接続検出ルーチン（ステップＳ１０２）が実行され、その後はミキシング制御（Ｓ１０３）に移行するようなカウンタ機構を追加してもよい。
【００６２】
また、上記実施の形態では、混合器制御部１１４は、逆接続判別部１１３が逆配管接続と判定した場合に混合器３のソーラ温水混合弁２５を全開とし冷水混合弁２４を全閉とするが（図２のステップＳ１０４、図３のステップＳ２０４）、この逆配管接続判定時に、ソーラ温水混合弁２５を開弁動作させ冷水混合弁２４を閉弁動作させるようにし、必ずしも完全にソーラ温水混合弁２５が全開、冷水混合弁２４が全閉とされなくてもよい。すなわち、逆配管接続時に実際にはソーラ温水が流れ込む冷水混合弁２４が僅かに開いてソーラ温水が混入しても、水道水等の冷水によって十分にぬるめられた混合水しか給湯器７には供給されない。よって、逆配管接続判定時にソーラ温水混合弁２５を開弁動作させ冷水混合弁２４を閉弁動作させることでも、給湯器７からの高温出湯を防止できる。
【００６３】
また、上記実施の形態では、報知手段は、湯水混合ユニット１の主電源１００がＯＦＦされるまで逆配管接続の旨を報知し続けるようにするが、逆配管接続判定時から一定の間だけ報知するようにしてもよい。
【００６４】
また、図１、図３に示した例では、混合器３として冷水混合弁２４とソーラ温水混合弁２５とを持つ２軸式とするが、単一の弁体を回動させて角度調節することによりソーラ温水路１４からのソーラ温水と冷水路１５からの冷水の混合割合を調整する１軸式のものでもよい。
【００６５】
また、上記実施の形態では、上記温水供給器として太陽熱温水器５を用いるが、これに限らず、例えば廃熱利用の温水器等その他種々の温水供給器であってもよい。
【図面の簡単な説明】
【図１】  参考例による湯水混合ユニットを用いた給湯システムの全体構成を示す構成図である。
【図２】  参考例の湯水混合ユニットにおける動作を示すフローチャートである。
【図３】  実施の形態による湯水混合ユニットを用いた給湯システムの全体構成を示す構成図である。
【図４】  実施の形態の湯水混合ユニットにおける動作を示すフローチャートである。
【図５】  従来のソーラ給湯システムの全体構成を示す構成図である。
【符号の説明】
１ 湯水混合ユニット
２ 通水回路
３ 混合器
５ 太陽熱温水器
７ 給湯器
１０ 給水配管
１１ ユニットコントローラ
１４ ソーラ温水路
１５ 冷水路
１６ 湯入口
１７ 水入口
１８ 湯出口
１９ ソーラ温水温センサ
２３ 冷水温センサ
２４ 冷水混合弁
２５ ソーラ温水混合弁
２８ バイパス通路
２９ 混合水路
３１ 温水開閉弁
３２ 水量センサ
３３ 混合水温センサ
５６ ソーラ温水配管
７１ リモコン
７２ 給湯コントローラ
７６ 入水配管
１００ 主電源
１１１ 混合温度演算部
１１２ 温度差検出部
１１３ 逆接続判別部
１１４ 混合器制御部
１１５ 温水開閉弁制御部
１１５’ バイパス開閉弁制御部
１１６ 通信部
３３１ バイパス開閉弁
【図１】
0003720756.tif 000002
【図２】
0003720756.tif 000003
【図３】
0003720756.tif 000004
【図４】
0003720756.tif 000005
【図５】
0003720756.tif 000006